(57)【要約】【課題】  原稿の読み取り中に読取中止の指示を受けたときに、原稿の読み取り中に読み取りを中止し、かつ原稿を速やかに排出する。【解決手段】  所定の搬送速度で原稿を搬送しながら読み取る画像形成装置において、原稿を読み取り中にユーザから読み取り中止の指示を受け付けると、原稿の読み取りを一旦中止して（Ｓ１０１）、ユーザの指定により（Ｓ１０２、Ｓ１０６）、原稿を正方向又は逆方向に増速して排出する。また、「終了」を指定したときは（Ｓ１０９）、原稿をジャム状態にしたまま処理を終了する。【選択図】図３
2011234130.tif 000002
【特許請求の範囲】
【請求項１】
原稿を搬送する搬送手段を有し、
前記搬送手段により所定速度で搬送される原稿を読み取る画像形成装置であって、
前記原稿読取中に読み取り中止を指示する読取中止指示手段と、
前記読取中止指示手段の読取中止指示に基づき、前記読み取りを中止するとともに、前記所定速度より速い速度で前記原稿を排出するよう前記搬送手段を制御する制御部と、を備えたことを特徴とする画像形成装置。
【請求項２】
請求項１に記載された画像形成装置において、
前記読取中止指示手段の読取中止指示に基づき、前記読み取りを中止した際に行う動作を指定する動作指定手段を有し、
前記動作指定手段は、前記読み取りを中止した原稿の搬送方向を正又は逆方向のいずれかの指定を行うことを特徴とする画像形成装置。
【請求項３】
請求項２に記載された画像形成装置において、
前記動作指定手段は、さらに前記読み取りを中止した原稿を搬送するか否かを指定することを特徴とする画像形成装置。
【請求項４】
請求項２に記載された画像形成装置において、
前記動作指定手段により前記読み取りを中止した原稿の搬送が指示されたとき、前記制御部は、原稿読取部の所定位置から搬送済みの前記原稿の長さに基づき、前記原稿を正又は逆方向に排出することを特徴とする画像形成装置。
【請求項５】
請求項１ないし４のいずれかに記載された画像形成装置において、
前記制御部は、前記読取中止指示手段の中止指示及び前記動作指定手段による排出指示を条件に、前記原稿の排出制御を行うことを特徴とする画像形成装置。
【請求項６】
請求項３に記載された画像形成装置において、
前記動作指示手段により、前記読み取りを中止した原稿の搬送否の指示がなされたとき、前記制御部は前記原稿のジャムと認識することを特徴とする画像形成装置。
【請求項７】
請求項１ないし６のいずれかに記載された画像形成装置において、
前記制御部は、上記動作を指定する前に予め定めた前記原稿を排出することを禁じる所定の事態が発生したとき、前記原稿の排出を禁止する制御を行うことを特徴とする画像形成装置。
【発明の詳細な説明】
【技術分野】
【０００１】
本発明は、原稿画像を読み取って記録用紙上に画像を形成する画像形成装置に関し、とくに読取中止後の原稿処理を速やかに行える画像形成装置に関する。
【背景技術】
【０００２】
原稿を所定の搬送経路上を所定の速度で搬送しつつ読み取り、記録用紙を所定の搬送経路上を搬送し、プリンタエンジン部において記録用紙上に原稿の画像の形成を行うスキャナやコピー機などの画像形成装置が従来から用いられている。特に広幅の原稿に対応できるこのような画像形成装置においては、Ａ０サイズやそれ以上の大きな長尺の原稿も上記のように原稿を読み取り部まで搬送(プレフィード)しながら読み取りを行い、排出部に原稿を排出する。
【０００３】
このような従来の画像形成装置において、読み取り開始後に、原稿の斜め送りによる原稿破損の恐れが生じる場合など緊急停止状況に至った場合には、ユーザは画像形成装置に備えている緊急停止キーを押下して原稿搬送機構を停止し、原稿搬送機構が停止した後に、原稿読取部のカバーを開けて詰まった原稿を取り出すなどのジャム処理を行う。
【０００４】
また、画像形成装置を緊急停止キーで緊急停止する際に、原稿の破損による恐れが大部分であることから原稿搬送機構のみ停止し、用紙搬送機構は用紙を機外に排出するまで停止しないことで用紙詰まりの処理を省く制御や、原稿搬送機構と用紙搬送機構を共に停止する制御、或いは、原稿搬送機構または用紙搬送機構のいずれかの駆動停止を選択的に行えるようにする画像形成装置（特許文献1参照）が知られている。
【０００５】
これらの従来の画像形成装置では、原稿搬送機構を停止させるのは主に原稿の破損を防止する目的であって、原稿搬送機構を停止した場合には、停止した後に原稿カバーを開いて原稿詰まり（ジャム）処理を行わなければならない。
【０００６】
一方、原稿の破損の恐れがない、例えば、ユーザが読み取り設定の間違いなどの理由で原稿の読み取りを中止して原稿読取作業をやり直したい場合に、原稿の搬送前もしくはプレフィード中であれば、その読み取りを中止することができる画像形成装置も知られている。しかし、この画像形成装置では、一旦原稿の読み取りが始まってからは読み取りを中止する術はなく、原稿の読み取りが終了するまで待ってから再度原稿読取作業をやり直している。
【０００７】
特に、Ａ０サイズ以上の広幅原稿に対応する画像形成装置の場合は、原稿の長さが数メートルにも及ぶ場合があり、原稿読取作業をやり直すために、無駄な読み取りが終るまで待つのは時間の浪費である。
【発明の概要】
【発明が解決しようとする課題】
【０００８】
本発明は、上記従来の問題に鑑みてなされたものであって、その目的は、原稿の読み取り中に、読み取り中止の指示があったときは、直ちに原稿の読み取りを中止すると共に原稿を速やかに排出して、原稿読取作業のやり直しに要する時間を短縮することである。
【課題を解決するための手段】
【０００９】
本発明の画像形成装置は、原稿を搬送する搬送手段を有し、前記搬送手段により所定速度で搬送される原稿を読み取る画像形成装置であって、前記原稿読取中に読み取り中止を指示する読取中止指示手段と、前記読取中止指示手段の読取中止指示に基づき、前記読み取りを中止するとともに、前記所定速度より速い速度で前記原稿を排出するよう前記搬送手段を制御する制御部と、を備えたことを特徴とする。
【発明の効果】
【００１０】
本発明によれば、原稿の読み取り中に、読み取り中止の指示があったときに、原稿の読み取りを中止し、かつ原稿を速やかに排出することで、原稿読取作業のやり直しに要する時間を短縮することができる。
【図面の簡単な説明】
【００１１】
【図１】本実施形態の画像形成装置の内部構成を概略的に示す図である。
【図２】原稿搬送停止後に操作部の表示パネル上に表示される動作指示画面を示す図である。
【図３】本実施形態の画像形成装置の原稿読取中止の処理の手順を示すフロー図である。
【発明を実施するための形態】
【００１２】
以下、本発明を実施するための形態について、添付した図面を参照して説明する。
図１は、本実施形態の画像形成装置１００の内部構成を概略的に示す図である。
図１に示すように、画像形成装置１００は、装置本体１と給紙部２により構成され、給紙部２に保持されているロール紙４１〜４３が用紙搬送経路上に設けられているカッター３１、３２によって裁断されて、記録用紙として搬送ローラ５１〜５４、レジストローラ６を通じて装置本体１内のプリンタエンジン部７に搬送される。
【００１３】
プリンタエンジン部７は、ドラム状の感光体８と、感光体８の周囲に設けられた、電子写真プロセスを実現する帯電装置９、現像装置１０、転写・分離装置１１、クリーニング装置(図示せず)、除電装置１２と、記録用紙搬送方向の下流に設けられている定着装置１３、用紙排出ローラ１４、１５などにより構成されている。上記電子写真プロセスによって画像が転写された記録用紙は、定着装置１３で定着された後、用紙排出ローラ１４、１５を通じて、用紙排出部１６に排出される。
【００１４】
プリンタエンジン部７の上部には、原稿台１７、原稿入口ローラ１８、原稿挿入センサ１９、原稿レジストセンサ２０、ＣＩＳ（Contact Image Sensor：密着型センサ）２１、原稿排出ローラ２２、排紙トレイ２３もしくは２４、操作部２５、原稿カバー２７などにより構成された原稿読取部２６が設けられている。
【００１５】
操作部２５は、読み取り開始を指示するスタートキー、読み取り中止を指示する読取中止キー、数字などを入力するテンキーなどの入力キーと、前記入力キーなどによる指示入力に基づき、各種設定情報などを表示する表示パネル２５１(図２参照)などにより構成されている。なお操作部２５の読取中止キーは、原稿の読み取りを中止するための読取中止指示手段を構成する。
【００１６】
原稿読取部２６では、ユーザが原稿を原稿台１７上で画像面を下向きにして手差し挿入すると、原稿挿入センサ１９によって原稿の先端が検知され、原稿入口ローラ１８が起動して、原稿を原稿読取部２６の内部に引き込み、原稿の先端が原稿レジストセンサ２０によって検知されると、原稿入口ローラ１８は停止する。
【００１７】
操作部２５でユーザにより読み取り開始の指示が入力されると、原稿入口ローラ１８が所定の速度で回転し、原稿がＣＩＳ２１上を通過して、原稿の画像が読み取られる。原稿入口ローラ１８と原稿排出ローラ２２などの原稿搬送手段によって、原稿は所定の速度で搬送され、排紙トレイ２３または２４に排出される。
【００１８】
図示しない制御部は、操作部２５で入力された指示に従い、原稿入口ローラ１８及び原稿排出ローラ２２を制御して、通常の原稿の搬送速度より速く回転させることができる。また、通常の原稿排出方向（正方向）で（つまり原稿入口ローラ１８及び原稿排出ローラ２２を正転させて）原稿を排紙トレイ２３または２４に排出するか、または、通常の原稿排出方向の反対方向（逆方向）で（つまり原稿入口ローラ１８及び原稿排出ローラ２２を逆転させて）原稿を原稿台１７に戻して排出することができる。
【００１９】
原稿の読み取り中に、ユーザによって操作部２５の読取中止キーが押され、制御部(図示せず)が読み取り中止の指示を受けると、原稿入口ローラ１８及び原稿排出ローラ２２は回転を止め、原稿の搬送を一旦中止して、ユーザは、操作部２５の表示パネル２５１(図２)の動作指示画面に従い、次の動作、例えば、原稿を排紙トレイ２３または２４に排出するか、原稿台１７に戻すか、またはそのまま制御を終了するかを指定する。そして、ユーザが操作部２５上の入力キーにより、次の動作を指定すると、上記動作のいずれかを実行する。
【００２０】
図２は、原稿搬送停止後に操作部２５の表示パネル２５１上に表示される動作指示画面を示す図である。
図２において、原稿の読み取り中に読取中止キーが押され、原稿入口ローラ１８及び原稿排出ローラ２２が停止すると、表示パネル２５１上に次の動作の指定を促す動作指示画面が現れる。
なお、図中Ａ１〜Ａ３は、それぞれ動作指示画面上の次の動作を表している「原稿を送る」、「原稿を戻す」、「終了する」を指定する入力キーであり、本発明の動作指定手段である。
【００２１】
ここで、ユーザが動作指示画面上で「原稿を送る」キー（Ａ１）を指定すると、原稿入口ローラ１８及び原稿排出ローラ２２は、通常の所定の速度より増速しながら正転して、原稿を排紙トレイ２３または２４に速やかに排出する。また、「原稿を戻す」キー（Ａ２）を指定すると、原稿入口ローラ１８及び原稿排出ローラ２２は、通常の所定の速度より増速しながら逆転して、原稿を原稿台１７に戻す。また、「終了する」キー（Ａ３）を指定すると、原稿の排出処理は行わず、原稿読取部２６の制御を終了して、原稿は原稿読取部２６内でジャム状態(原稿詰まり状態)のままになる。
【００２２】
また、読み取りを中止した後、ユーザが原稿を搬送しても破損の恐れがないことを確認したときは、「原稿を送る」キー（Ａ１）もしくは「原稿を戻す」キー（Ａ２）を指定することができる。原稿を搬送したときに原稿が破損する恐れがある場合は、「終了する」キー（Ａ３）を指定して、制御を終了させる。
【００２３】
図３は、本実施形態の画像形成装置１００の原稿読取中止の処理の手順を示すフロー図である。
図３において、原稿の読み取り中に、ユーザによって操作部２５の読取中止キーが押されると、原稿入口ローラ１８及び原稿排出ローラ２２は回転を一旦停止して原稿の搬送を停止する（Ｓ１０１）。原稿の搬送が停止すると、操作部２５の表示パネルには次の動作の指定を促す動作指示画面が現れる。
【００２４】
まず、ユーザが動作指示画面上で「原稿を送る」キー（Ａ１）を指定したときは（Ｓ１０２）、原稿入口ローラ１８及び原稿排出ローラ２２は増速しながら正転して、原稿を排紙トレイ２３または２４に速やかに排出する（Ｓ１０３）。次に、原稿が排紙トレイ２３または２４に排出が完了したか否かを確認し（Ｓ１０４）、原稿の排出が完了を確認すると（Ｓ１０４：ＹＥＳ）、画像形成装置１００は待機状態に移行し（Ｓ１０５）、処理を終了する。
【００２５】
ここで、ステップＳ１０４の原稿の排出が完了したか否かの判断手法として、以下の方法を用いることができる。
例えば、原稿レジストセンサ２０から原稿排出ローラ２２までの距離をＸ１、搬送速度をＶ１とすると、原稿レジストセンサ２０から原稿排出ローラ２２までの原稿の搬送に要する時間Ｔ１を以下の式で求めることができる。
Ｔ１＝Ｘ１／Ｖ１
従って、原稿後端が原稿レジストセンサ２０を通過してから上記時間Ｔ１をカウントすれば、原稿の排出が完了したか否かを判断することができる。なお、時間Ｔ１のカウント及び上記原稿の排出完了の判断は制御部（図示せず）によって実行される。
【００２６】
ステップＳ１０２で、原稿送り指示を行わず（Ｓ１０２：ＮＯ）、ステップＳ１０６で、ユーザが操作部２５に現れる動作指示画面上で「原稿を戻す」キー（Ａ２）を指定すると（Ｓ１０６：ＹＥＳ）、原稿入口ローラ１８及び原稿排出ローラ２２は増速逆転して、原稿を原稿台１７に速やかに戻す（Ｓ１０７）。次に、原稿が原稿台１７への排出が完了したか否かを確認し（Ｓ１０８）、原稿の排出完了を確認すると（Ｓ１０８：ＹＥＳ）、画像形成装置１００は待機状態に移行し（Ｓ１０５）、処理を終了する。
【００２７】
ここで、ステップＳ１０８の原稿の原稿台１７への排出が完了したか否かの判断手法として、以下のような方法を用いることができる。
例えば、原稿レジストセンサ２０から原稿入口ローラ１８までの距離をＸ２、搬送速度をＶ２とすると、原稿レジストセンサ２０から原稿入口ローラ１８までの原稿の搬送に要する時間Ｔ２を以下の式で求めることができる。
Ｔ２＝Ｘ２／Ｖ２
従って、原稿先端が原稿レジストセンサ２０を通過してから上記の時間Ｔ２をカウントすれば、原稿の排出が完了したか否かを判断することができる。なお、時間Ｔ２のカウント及び上記原稿の排出の完了判断は制御部（図示せず）によって実行される。
【００２８】
ステップＳ１０６において、原稿戻し指示を行わず（Ｓ１０６：ＮＯ）、ユーザが操作部２５に現れる動作指示画面上で、「終了する」キー（Ａ３）を指定すると（Ｓ１０９：ＹＥＳ）、原稿を読取装置内部から排出せず、画像形成装置１００はジャム状態に移行し（Ｓ１１０）、処理を終了する。処理終了後に、ユーザが原稿カバー２７を開けて原稿を取り出すなど、ジャム処理を行う。
【００２９】
ステップＳ１０９で終了指定を行わず（Ｓ１０９：ＮＯ）、図２の動作指示画面には表してないが、原稿カバー２７が開けられた場合は（Ｓ１１１：ＹＥＳ）、ユーザが原稿を取り出す可能性があり、原稿の搬送を行うと破損の可能性があることから、原稿を読取装置内部から排出せず画像形成装置１００はジャム状態に移行し（Ｓ１１０）、処理を終了する。
【００３０】
なお、読み取りの中止指示を受付けて、原稿入口ローラ１８及び原稿排出ローラ２２が一旦停止後に、原稿を排紙トレイ２３または２４に送るかもしくは原稿を原稿台１７に戻すかは、上記のように、操作部２５の表示パネル２５１に表示される動作指示画面でユーザが指定して決定することができるが、以下のような判断手法で、制御部（図示せず）によって自動的に決定することもできる。
【００３１】
既に述べたように、原稿読取部２６では、ユーザが原稿を原稿台１７上で画像面を下向きにして手差し挿入すると、原稿挿入センサ１９によって原稿の先端が検知されるが、制御部は、読み取りの中止指示を受付けて原稿の読み取りを中止した際に、既に搬送された原稿の長さ、例えば、原稿挿入センサ１９により原稿の先端が検知されてからの時間を制御部がカウントして、そのカウント値から搬送された原稿の長さが予め決められた所定の長さ（例えば、５０ｃｍ）以上であると判断したときは、原稿入口ローラ１８及び原稿排出ローラ２２を増速正転させて、原稿を排紙トレイ２３または２４に速やかに排出し、既に搬送された原稿の長さが予め決められた所定の長さ未満であれば、原稿入口ローラ１８及び原稿排出ローラ２２を増速逆転させて、原稿を原稿台１７に排出する。
【００３２】
以上、本発明の実施形態について説明したが、本実施形態によれば、原稿の読み取り中に、操作部２５の読取中止キーの操作により、制御部が読取中止の指示を受付けたとき、原稿の搬送を中止するとともに、原稿入口ローラ１８及び原稿排出ローラ２２などからなる搬送手段の速度を通常の所定の原稿搬送速度より速くなるように制御して、原稿を速やかに排出することで、従来の緊急停止の際に行う煩わしい原稿のジャム処理の手間を省いて、原稿読取作業のやり直しのための時間を短縮することができる。
【００３３】
また、読取中止キーにより制御部が原稿の読み取り中に読取中止の指示を受付けて、原稿の搬送を中止した際に、動作指示画面にて「原稿を送る」、「原稿を戻す」、「終了する」などの次の動作を指定して、指定された動作を行うことで、更なる原稿排出の時間の短縮や原稿の破損を防止することができる。
更に、上述のように、原稿を排紙トレイ２３または２４に送るか又は原稿を原稿台１７に戻すかの指定を、読み取り中止した際の搬送済みの原稿の長さに基づき自動的に決定することで、ユーザが搬送方向を指定する手間を省くことができる。
【００３４】
また、原稿の読み取り中に読取中止の指示を受付けたときに、原稿の搬送を一旦中止することで、原稿の破損を防ぐために緊急停止したい場合などに、慌てて緊急停止キーの代わりに読取中止キー押しても、いきなり増速して原稿を傷つける事態を防ぐことができる。
本実施形態の原稿の読み取り中に読取中止の指示を行う読取中止キーが緊急停止キーのような緊急停止の入力手段の役割を代行でき、緊急停止の入力手段と統合して使用することができる。
【００３５】
また、上記の原稿の読み取りを中止して原稿が停止した後に、表示パネル２５１の動作指示画面で上記動作を指定する前に、原稿を排出するか否かを指定する前に、原稿カバーオープンなど、通常時においても原稿の搬送を中断する必要がある事態、つまり予め定めた事態が発生したときは、制御部は原稿の排出を禁止する制御を行うことによって、原稿の破損の危険を抑制することができる。
【符号の説明】
【００３６】
１・・・装置本体、２・・・給紙部、３１、３２・・・カッター、４１〜４３・・・ロール紙、５１〜５４・・・搬送ローラ、６・・・レジストローラ、７・・・プリンタエンジン部、８・・・感光体、９・・・帯電装置、１０・・・現像装置、１１・・・転写・分離装置、１２・・・除電装置、１３・・・定着装置、１４、１５・・・用紙排出ローラ、１６・・・用紙排出部、１７・・・原稿台、１８・・・原稿入口ローラ、１９・・・原稿挿入センサ、２０・・・原稿レジストセンサ、２１・・・ＣＩＳ、２２・・・原稿排出ローラ、２３、２４・・・排紙トレイ、２５・・・操作部、２６・・・原稿読取部、２７・・・原稿カバー。
【先行技術文献】
【特許文献】
【００３７】
【特許文献１】特開２００３−１５４８０号公報
【図１】
2011234130.tif 000003
【図２】
2011234130.tif 000004
【図３】
2011234130.tif 000005